(57)【要約】【課題】管内の蒸気及び凝縮液の流路を確保することにより放熱特性の向上を図ると共に、パソコン等のＣＰＵを搭載するための表面を平坦とすることができる扁平状ヒートパイプを提供する。【解決手段】金属管１０内における平坦な対向面の各々に、管軸１２に沿って平行に所定間隔で複数の高いフィン１４を設け、この高いフィン１４同士の間に、同平行に複数の低いフィン１６を設けた。また、対向する高いフィン１４の先端が突き合わされた状態となっている。【選択図】　図１
2004053086.tif 000002
【特許請求の範囲】
【請求項１】
熱伝導を行う扁平状ヒートパイプにおいて、
金属管内における平坦な対向面の各々に、管軸に沿って平行に所定間隔で複数の第１のフィンが設けられ、この第１のフィン同士の間に、同平行に前記第１のフィンよりも高さが低い複数の第２のフィンが設けられ、また、対向する前記第１のフィンの先端が突き合わされた状態で形成されている
ことを特徴とする扁平状ヒートパイプ。
【請求項２】
前記第１のフィンの高さが０．２ｍｍ〜０．５ｍｍ、前記第２のフィンの高さが０．０５ｍｍ〜０．３ｍｍである
ことを特徴とする扁平状ヒートパイプ。
【請求項３】
熱伝導を行う扁平状ヒートパイプの製造方法において、
丸形金属管の内面に、管軸に沿って平行に所定間隔で第１のフィンと、この第１のフィンよりも高さの低い第２のフィンとが複数加工された丸形ヒートパイプを形成し、前記第１のフィンが内部の対向面のもの同士で突き合うように、加圧によって扁平加工する
ことを特徴とする扁平状ヒートパイプの製造方法。
【発明の詳細な説明】
【０００１】
【発明の属する技術分野】
本発明は、ノートパソコン等の電子機器に搭載されているＣＰＵを冷却する扁平状ヒートパイプ及びその製造方法に関する。
【０００２】
【従来の技術】
近年、ノートパソコン等の電子機器が薄型化するに伴い、これに使用されるヒートパイプは丸形のものより扁平状のものが多用されてきている。例えばノートパソコンのＣＰＵ冷却システムには扁平状ヒートパイプが使用されている。従来の２種類の扁平状ヒートパイプの断面構成を図３（ａ）及び（ｂ）に示し、その説明を行う。従来の扁平状ヒートパイプは、（ａ）に示すように、金属管１内にメッシュ２を挿入したもの、並びに（ｂ）に示すように、金属管１の内面を均一に溝加工することによって内面加工溝３を形成したものを、丸形のヒートパイプに加工し、これらをプレス等で潰すことにより作製されていた。
【０００３】
【発明が解決しようとする課題】
ところで、従来の扁平状ヒートパイプにおいては、放熱特性が良いことの他、ＣＰＵとの密着面積極力広くするため、ＣＰＵを搭載する表面が平坦であることが要求されている。しかし、従来の扁平状ヒートパイプは、丸形ヒートパイプの構造をしたヒートパイプを単にプレス等で潰しているため、中央部分が凹んで平坦とならず、また、その凹みによって内洞の蒸気や凝縮液の流路が狭くなり放熱特性が低下するという問題があった。この他、ヒートパイプ自体の内圧（負圧）によっても、その中央部分が凹んだりするので、平坦となりにくい構造であった。
【０００４】
本発明は、かかる点に鑑みてなされたものであり、管内の蒸気及び凝縮液の流路を確保することにより放熱特性の向上を図ると共に、パソコン等のＣＰＵを搭載するための表面を平坦とすることができる扁平状ヒートパイプ及びその製造方法を提供することを目的とする。
【０００５】
【課題を解決するための手段】
上記課題を解決するために、本発明の扁平状ヒートパイプは、熱伝導を行う扁平状ヒートパイプにおいて、金属管内における平坦な対向面の各々に、管軸に沿って平行に所定間隔で複数の第１のフィンが設けられ、この第１のフィン同士の間に、同平行に前記第１のフィンよりも高さが低い複数の第２のフィンが設けられ、また、対向する前記第１のフィンの先端が突き合わされた状態で形成されていることを特徴としている。
【０００６】
また、前記第１のフィンの高さが０．２ｍｍ〜０．５ｍｍ、前記第２のフィンの高さが０．０５ｍｍ〜０．３ｍｍであることを特徴としている。
【０００７】
また、本発明の扁平状ヒートパイプの製造方法は、熱伝導を行う扁平状ヒートパイプの製造方法において、丸形金属管の内面に、管軸に沿って平行に所定間隔で第１のフィンと、この第１のフィンよりも高さの低い第２のフィンとが複数加工された丸形ヒートパイプを形成し、前記第１のフィンが内部の対向面のもの同士で突き合うように、加圧によって扁平加工することを特徴としている。
【０００８】
【発明の実施の形態】
以下、本発明の実施の形態について、図面を参照して詳細に説明する。
【０００９】
（実施の形態）
図１は、本発明の実施の形態に係る扁平状ヒートパイプの構成を示す図であり、（ａ）は斜視図、（ｂ）は（ａ）のＡ−Ａ断面図である。
【００１０】
この図１（ａ）、（ｂ）に示す扁平状ヒートパイプは、細長い板状の金属管１０内における平坦な対向面の各々に、長手方向の管軸１２に沿って平行に所定間隔で複数の高いフィン１４が設けられ、この高いフィン１４の間に、同平行に複数の低いフィン１６が設けられ、また、対向する高いフィン１４の先端が突き合わされた状態で構成されている。また、図２に高いフィン１４並びに低いフィン１６の拡大断面図を示す。高いフィン１４並びに低いフィン１６は、管軸１２に沿って連続的及び断続的何れに設けても良い。また、各フィン１４，１６の先端は、突き合わせ易い丸形や平坦型とする。
【００１１】
このような構成の扁平状ヒートパイプを製造する場合、例えば、丸管の内面に、上記のように、管軸に沿って高いフィン１４と低いフィン１６とを所定間隔で加工したヒートパイプを作り、これをプレス等により扁平状に潰す。この時、高いフィン１４同士が支え合うので凹むことが無くなる。なお、この場合、丸管の状態にて管に軸方向に僅かにネジレを持たせておけば、扁平加工した際、高いフィン１４同士の先端が重なる易くなるので、高いフィン１４同士が確実に支え合って凹むのを防止することが可能となる。
【００１２】
このように、本実施の形態の扁平状ヒートパイプにおいては、対向する高いフィン１４同士が支え合うので、金属管１０内の平坦な対向面が、扁平状ヒートパイプ自体の内圧や、加工時の加圧で凹むことが無くなる。従って、パソコン等のＣＰＵを搭載するための表面を平坦とすることができる。
【００１３】
また、高いフィン１４同士の間は、図１（ｂ）から判るように、細長い空洞となるので、蒸気や凝縮液が流れる通路となる。また、その空洞に複数の低いフィン１６が空洞の長手方向に沿って設けられているので伝熱面積が広くなる。従って、放熱特性を向上させることができる。
【００１４】
また、扁平状ヒートパイプを実際に作製し、その最適な寸法を求めた。図２に示すように、本発明の扁平状ヒートパイプの最適断面形状は、金属管１０の内面において、高いフィン１４の高さＨｆが０．２〜０．５ｍｍ、また、低いフィン１６の高さＨｆａの高さが０．０５〜０．３ｍｍであった。この理由は、高いフィン１４は、０．２ｍｍ以下又は０．５ｍｍ以上では極薄に扁平状ヒートパイプ加工した場合、表面が平坦となりにくくなったため、０．２〜０．５ｍｍとした。一方、低いフィン１６は、高いフィン１４の間に存在し、その高さは、下限及び上限共に、高いフィン１４の２０〜６０％として作動液の毛細管力を確保できる様な構造とした。
【００１５】
【発明の効果】
以上説明したように、本発明によれば、扁平状ヒートパイプを、金属管内における平坦な対向面の各々に、管軸に沿って平行に所定間隔で複数の第１のフィンを設け、この第１のフィン同士の間に、同平行に第１のフィンよりも高さが低い複数の第２のフィンを設け、また、対向する第１のフィンの先端を突き合わした状態とした。これによって、対向する第１のフィン同士が支え合うので、金属管内の平坦な対向面が、扁平状ヒートパイプ自体の内圧や、加工時の加圧で凹むことが無くなる。従って、パソコン等のＣＰＵを搭載するための表面を平坦とすることができる。
【００１６】
また、第１のフィン同士の間は、細長い空洞となるので、蒸気や凝縮液が流れる通路となり、また、その空洞に複数の低い第２のフィンが空洞の長手方向に沿って設けられているので伝熱面積が広くなる。従って、放熱特性を向上させることができる。
【図面の簡単な説明】
【図１】本発明の実施の形態に係る扁平状ヒートパイプの構成を示す図であり、（ａ）は斜視図、（ｂ）は（ａ）のＡ−Ａ断面図である。
【図２】上記扁平状ヒートパイプにおける高いフィン並びに低いフィンの拡大断面図である。
【図３】（ａ）は従来の扁平状ヒートパイプの断面図、（ｂ）は他の従来の扁平状ヒートパイプの断面図である。
【符号の説明】
１，１０　金属管
２　メッシュ
３　内面加工溝
１２　管軸
１４　高いフィン
１６　低いフィン
Ｈｆ　高いフィンの高さ
Ｈｆａ　低いフィンの高さ
【図１】
2004053086.tif 000003
【図２】
2004053086.tif 000004
【図３】
2004053086.tif 000005